(57)【要約】【課題】より簡単な構成でエスカレータの利用者の衣服等に引っ掛かる恐れがなく、ステップの側部に隣接する側壁部の上部とステップの側方に立設する欄干の下部との間を覆うエスカレータのインナーデッキの固定機構を提供することである。【解決手段】ステップ１２の側部に隣接する側壁部３４の上部と側壁部３４よりも外側に立設される欄干の下部３１との間を覆うエスカレータ１０のインナーデッキ５１の固定機構であって、欄干の下部３１とインナーデッキ５１の上端部とを締結する締結手段を有し、締結手段は、ステップ１２の踏板面と垂直な方向に締め付けられることで欄干の下部３１とインナーデッキ５１の上端部とを締結するねじ部材を含む。【選択図】図２
2010120723.tif 000002
【特許請求の範囲】
【請求項１】
ステップの側部に隣接する側壁部の上部と側壁部よりも外側に立設される欄干の下部との間を覆うエスカレータのインナーデッキの固定機構であって、
欄干の下部とインナーデッキの上端部とを締結する締結手段を有するエスカレータのインナーデッキの固定機構。
【請求項２】
請求項１に記載のエスカレータのインナーデッキの固定機構において、
締結手段は、
ステップの踏板面と垂直な方向に締め付けられることで欄干の下部とインナーデッキの上端部とを締結するねじ部材を含むことを特徴とするエスカレータのインナーデッキの固定機構。
【請求項３】
請求項１または請求項２に記載のエスカレータのインナーデッキの固定機構において、
側壁部は、
インナーデッキの下端部を保持するための保持溝を有することを特徴とするエスカレータのインナーデッキの固定機構。
【請求項４】
請求項１から請求項３のいずれか１に記載のエスカレータのインナーデッキの固定機構において、
締結手段を覆うカバー部をさらに有することを特徴とするエスカレータのインナーデッキの固定機構。
【発明の詳細な説明】
【技術分野】
【０００１】
本発明は、エスカレータのインナーデッキの固定機構に係り、特に、ステップの側部に隣接する側壁部の上部と側壁部よりも外側に立設される欄干の下部との間を覆うエスカレータのインナーデッキの固定機構に関する。
【背景技術】
【０００２】
図５は、従来のエスカレータにおける欄干の下部の一部を構成する内側板３２の周辺を示す斜視図である。図６は、図５において矢印Ｅ方向から内側板３２の周辺を見た図である。図５，６において示されたエスカレータの内側板３２の周辺には、ステップの側部に隣接する側壁部３４の上部とステップの側方に立設される内側板３２の下部との間をインナーデッキ１５１が覆っている様子が示されている。ここで、インナーデッキ１５１の上端部は、内側板３２の下部に設けられる固定部１５６と嵌合され、下端部は、ビス１５５を締め付けることで側壁部３４の上部に固定されている。ここで、下端部では、ステップの側部周辺においてステップの長手方向に沿って締め付けられるビス１５５により側壁部３４の上部とインナーデッキ１５１の下端部とが固定されていることから、エスカレータの運転時の振動等によりビス１５５が緩んでその頭部が突出し、エスカレータの利用者の衣服に引っ掛かる恐れもある。
【０００３】
特許文献１には、マイコンベアの欄干パネルの下部に設けられたデッキ支持部とステップ列の側部に設けられたスカートガードパネルとの間にインナーデッキを取り付けるマイコンベアのインナーデッキ取付装置が記載されている。具体的には、デッキ支持部に弾性変形可能な押え部を有する押え部材を設け、インナーデッキをデッキ支持部およびスカートガードパネルの上にスライド可能に配置させる。そして、このインナーデッキをスライドしてインナーデッキの一部を押え部材の押え部の下側にその弾性力に抗して進入させてその押え部の弾性的な押圧力でインナーデッキを固定することが開示されている。
【０００４】
【特許文献１】特開２００１−１３０８５９号公報
【発明の開示】
【発明が解決しようとする課題】
【０００５】
上記特許文献１の構成を用いることで、エスカレータの利用者の衣服等に引っ掛かる恐れがないインナーデッキの固定機構にすることができる。しかし、特許文献１の構成を用いるには、弾性変形可能な押え部を有する押え部材を設けたり、インナーデッキをデッキ支持部およびスカートガードパネルの上にスライド可能に配置させたりと複雑な構成が必要である。
【０００６】
本発明の目的は、簡単な構成でエスカレータの利用者の衣服等に引っ掛かる恐れがなく、ステップの側部に隣接する側壁部の上部と側壁部よりも外側に立設される欄干の下部との間を覆うエスカレータのインナーデッキの固定機構を提供することである。
【課題を解決するための手段】
【０００７】
本発明に係るエスカレータのインナーデッキの固定機構は、ステップの側部に隣接する側壁部の上部と側壁部よりも外側に立設される欄干の下部との間を覆うエスカレータのインナーデッキの固定機構であって、欄干の下部とインナーデッキの上端部とを締結する締結手段を有する。
【０００８】
また、本発明に係るエスカレータのインナーデッキの固定機構において、締結手段は、ステップの踏板面と垂直な方向に締め付けられることで欄干の下部とインナーデッキの上端部とを締結するねじ部材を含むことが好ましい。
【０００９】
また、本発明に係るエスカレータのインナーデッキの固定機構において、側壁部は、インナーデッキの下端部を保持するための保持溝を有することが好ましい。
【００１０】
また、本発明に係るエスカレータのインナーデッキの固定機構において、締結手段を覆うカバー部をさらに有することが好ましい。
【発明の効果】
【００１１】
上記構成のエスカレータのインナーデッキの固定機構によれば、欄干の下部とインナーデッキとを締結する締結手段をエスカレータのステップからの距離が側壁部よりも離れた欄干の下部側に設けてインナーデッキを固定しているため、乗客がステップに乗っている場合にも衣服等が引っ掛かりにくい。これにより、エスカレータの利用者の衣服等に引っ掛かる恐れがないインナーデッキの固定機構とすることができる。
【００１２】
また、上記構成のねじ部材を有するエスカレータのインナーデッキの固定機構によれば、欄干の下部とインナーデッキの本体部とを締結するねじ部材は、エスカレータのステップの移動により発生する振動が側壁部側に比べて小さくなる欄干の下部側に締め付けられる。これにより、ねじ部材は側壁部側に締め付けられる場合に比べて緩みにくくなるため、エスカレータの利用者の衣服等に引っ掛かる恐れがないインナーデッキの固定機構とすることができる。
【００１３】
また、上記構成の保持溝を有するエスカレータのインナーデッキの固定機構によれば、インナーデッキのうち側壁部に配置される側の端部である下端部を保持することができる。これにより、インナーデッキの下端部の位置決めを容易に行うことができる。
【００１４】
また、上記構成のカバー部を有するエスカレータのインナーデッキの固定機構によれば、締結部分が覆われるためエスカレータの利用者には締結していることが分かりにくい。これにより、エスカレータの利用者によるいたずらを抑制することができる。
【発明を実施するための最良の形態】
【００１５】
以下に、本発明に係る実施の形態について添付図面を参照しながら詳細に説明する。また、この説明において、具体的な形状、材料、数値、方向等は、本発明の理解を容易にするための例示であって、用途、目的、仕様等にあわせて適宜変更することができる。
【００１６】
図１は、本発明の一実施形態であるインナーデッキの固定機構を有するエスカレータ１０を示す構成図である。エスカレータ１０は、高低差のある乗場床６と降場床８との間で乗客４を移動させる装置である。エスカレータ１０は、乗客４が乗るステップ１２と、それぞれのステップ１２が締結されるステップチェーン１４と、ステップチェーン１４を駆動する主駆動装置１６と、移動手摺７０と、欄干を構成する移動手摺案内レール４２と内側板３２と、移動手摺７０を駆動する手摺駆動装置１４０とを含んで構成される。
【００１７】
ステップ１２は、乗客４が一人または二人乗れる程度の大きさを有する。エスカレータ１０が運転されるときは、複数のステップ１２が地面に対して水平な状態を保ちつつ移動する。また、ステップ１２にはスリップ防止のための溝が複数設けられている。
【００１８】
無端状のステップチェーン１４は、図示されていない適当な軸部材を介して、それぞれのステップ１２を締結し、主駆動装置１６の駆動力をそれぞれのステップ１２に伝達するものである。
【００１９】
主駆動装置１６は、エスカレータ１０を駆動する駆動力を出力する装置で、例えば電動機と減速歯車等から構成される。主駆動装置１６により出力された駆動力は、図示されていない駆動伝達手段を介してステップチェーン１４及び図示されていない移動手摺チェーンを介して駆動ローラ１００に伝達される。
【００２０】
移動手摺７０は、乗客４が手を添え又は掴まる部分である。ここで、移動手摺７０は長手方向の両端部を接合して無端状としている。移動手摺案内レール４２は、移動手摺７０を案内する機能を有する。内側板３２は、ステップ１２の側方に立設され、後述する側壁部３４よりも外側に設けられる側壁である。移動手摺案内レール４２と内側板３２とを含む欄干の下部３１については後述する。
【００２１】
手摺駆動装置１４０は、上記のように移動手摺７０を駆動する機能を有し、駆動ローラ１００と加圧ローラ１２０とを含んで構成される。
【００２２】
手摺駆動装置１４０においては、移動手摺７０を挟んで複数の駆動ローラ１００に対向する位置に複数の加圧ローラ１２０が配置される。加圧ローラ１２０は、それぞれ駆動ローラ１００と対を成すように並んでいる。駆動ローラ１００は、主駆動装置１６より出力された駆動力により駆動され、また、加圧ローラ１２０は、対応する駆動ローラ１００に向かって、移動手摺７０を図示していない加圧手段によって押し付け、駆動ローラ１００の駆動に従って回転する。
【００２３】
移動手摺７０は、下側の移動手摺７０において、駆動ローラ１００が矢印Ａ方向に回転することにより、加圧ローラ１２０との間に挟みこまれた移動手摺７０が図１の矢印Ｂ方向に移動する。
【００２４】
次に、移動手摺案内レール４２と内側板３２とを含む欄干の下部３１の構成について説明する。図２は、図１における点線Ｃで囲まれたエスカレータ１０の欄干の下部３１周辺の斜視図である。図３は、図２において矢印Ｄ方向から欄干の下部３１周辺を見た図である。エスカレータ１０の欄干の下部３１には、内側板３２と、アングル３３と、固定金具５２とが設けられている。一方、ステップ１２（図１）の側部に設けられる側壁部３４の周辺には、保持具５６と、側壁部３４と、嵌合部３５と、アングル３６とが設けられている。
【００２５】
アングル３３は、矢印Ｄ方向（図２）から見た形状が略Ｕ字形状の部材であり、内側板３２の下方に配置される。そして、アングル３３は、その凹部が内側板３２の下部と嵌合することで内側板３２を保持する機能を有する。
【００２６】
固定金具５２は、矢印Ｄ方向（図２）から見た形状が略Ｌ字形状の部材であり、アングル３３の側面に対して固定金具用ボルト５３によって取り付けられる。そして、複数の固定金具５２が、アングル３３の側面においてステップ１２の進路方向に沿って所定の間隔で設けられている。また、固定金具５２は、インナーデッキ５１を取り付けるための部材であり、ビス５５を締め付けるためのビス穴５４ａが設けられている。ビス穴５４ａには、ビス５５の雄ねじ部に対応した形状の溝が形成されている。
【００２７】
側壁部３４は、ステップ１２の側部に隣接する壁である。嵌合部３５は、側壁部３４の一つの側面から突出し、その側壁部３４との間に略Ｙ字形状（図２の矢印Ｄ方向から見た形状）が構成される。アングル３６は、略Ｌ字形状（図２の矢印Ｄ方向から見た形状）であり、側壁部３４に隣接して設けられる。そして、側壁部３４と嵌合部３５との間に形成される凹部分と、アングル３６の先端部３６ａとが嵌合することで側壁部３４がアングル３６に固定される。
【００２８】
保持具５６は、略Ｌ字形状（図２の矢印Ｄ方向から見た形状）の部材であり、ステップ１２に進路方向に沿って所定の間隔で取り付けらえている。そして、側壁部３４と保持具５６とにより形成される凹部である保持溝５７がインナーデッキ５１を保持している。
【００２９】
インナーデッキ５１は、適当な強度を有するステンレス等から構成され、欄干の下部３１と側壁部３４の上部との間を覆う部材である。インナーデッキ５１の上端部５１２には、ビス５５を締め付けるためのビス穴５４ｂが形成されている。ビス穴５４ｂは、図３に示されるようにビス５５の皿頭が納まるような形状を有している。
【００３０】
続いて、上記構成からなるエスカレータ１０のインナーデッキ５１の固定機構の作用について、図１〜図３を参照して説明する。まず、インナーデッキ５１の下端部５１４が保持具５６によって形成される保持溝５７と嵌合して位置決めを行う。そして、インナーデッキ５１の上端部５１２のビス穴５４ｂと固定金具５２のビス穴５４ａとの位置を調整し、その後ビス５５をステップ１２の踏板面に垂直な方向に締め付けてインナーデッキ５１を固定する。
【００３１】
このように、エスカレータ１０のインナーデッキ５１の固定機構ではステップ１２側に配置されるインナーデッキ５１の下端部５１４にはビス５５を用いることなく、内側板３２側に配置されるインナーデッキ５１の上端部５１２においてビスを用いて、インナーデッキ５１を固定金具５２に対して固定している。これにより、ビス止めされる箇所がステップ１２に乗る乗客から遠くなる。したがって、エスカレータ１０を利用する乗客によって衣服等が引っ掛かりにくいインナーデッキ５１の固定機構とすることができる。また、ビス５５は、エスカレータ１０のステップ１２の移動により発生する振動が側壁部３４側に比べて小さくなる欄干の下部３１側に締め付けられているため、欄干の下部３１側に締め付けられる場合に比べて緩みにくい。
【００３２】
また、本発明のエスカレータ１０のインナーデッキ５１の固定機構の変形例について説明する。図４は、エスカレータ１０のインナーデッキ５１の固定機構の変形例を示す図である。エスカレータ１０においては、ビス５５を締め付けてインナーデッキ５１を固定金具５２に対して固定した後のビス５５の上にインナーデッキ５１と同色のシールを貼り付け、ビス５５の頭部がカバーされる。これにより、エスカレータ１０を利用する乗客もビス５５で締め付けられていることが分かりにくいため、いたずらを防止することもできる。
【００３３】
なお、上記ではインナーデッキ５１と同色のシールを貼り付けて、ビス５５の頭部をカバーするものとして説明したが、シールよりも強度のある部材、例えばステンレスで構成されたカバーを嵌めこむことでビス５５の頭部を覆ってもよい。
【図面の簡単な説明】
【００３４】
【図１】本発明の一実施形態であるインナーデッキの固定機構を有するエスカレータを示す構成図である。
【図２】図１における点線Ｃで囲まれたエスカレータの欄干の下部周辺の斜視図である。
【図３】図２において矢印Ｄ方向から欄干の下部周辺を見た図である。
【図４】本発明の一実施形態であるエスカレータのインナーデッキの固定機構の変形例を示す図である。
【図５】従来のエスカレータの欄干の下部周辺を示す斜視図である。
【図６】図５において矢印Ｅ方向から欄干の下部周辺を見た図である。
【符号の説明】
【００３５】
４  乗客、６  乗場床、８  降場床、１０  エスカレータ、１２  ステップ、１４  ステップチェーン、１６  主駆動装置、３１  欄干の下部、３２  内側板、３３，３６  アングル、３４  側壁部、３５  嵌合部、３６ａ  先端部、４２  移動手摺案内レール、５１，１５１  インナーデッキ、５２  固定金具、５３  固定金具用ボルト、５４ａ，５４ｂ  ビス穴、５５，１５５  ビス、５６  保持具、５７  保持溝、７０  移動手摺、１００  駆動ローラ、１２０  加圧ローラ、１４０  手摺駆動装置、１５６  固定部、５１２  上端部、５１４  下端部。
【図１】
2010120723.tif 000003
【図２】
2010120723.tif 000004
【図３】
2010120723.tif 000005
【図４】
2010120723.tif 000006
【図５】
2010120723.tif 000007
【図６】
2010120723.tif 000008